(57)【特許請求の範囲】
【請求項１】
複数の開閉部からなる開閉部グループを複数含み、グループ間で互いに異なるタイミングで個別に開閉動作する光バリア部と、
複数の異なる視点の視点画像に基づいて、各開閉部グループの開動作タイミングに応じて、前記複数の開閉部グループにそれぞれ対応する複数の系列の複合画像を生成する複合画像生成部と、
各開閉部グループの開閉動作に同期して、対応する系列の前記複合画像を線順次走査により表示する表示部と
を備え、
前記複合画像生成部は、少なくとも１つの系列の前記複合画像を補間によって生成し、
前記光バリア部は、線順次走査の方向において複数のサブバリア領域に分割されると共に、前記サブバリア領域ごとに前記複数の開閉部グループを含み、
各開閉部グループは、前記表示部の線順次走査に応じたタイミングで開閉動作し、
前記複合画像生成部は、前記サブバリア領域に対応する領域ごとに、各開閉部グループの開動作タイミングに応じた前記複数の系列の複合画像を生成する
立体表示装置。
【請求項２】
前記複数の開閉部は、それぞれが前記線順次走査の方向に延在するように設けられると共に、各サブバリア領域において、前記線順次走査の方向と交差する方向に各開閉部グループが巡回的に現れるように並設されている
請求項１に記載の立体表示装置。
【請求項３】
前記光バリア部の前記開閉部は、各サブバリア領域において、前記開閉部グループごとに時分割的に切り替えて開閉動作し、
前記表示部は、開放状態になった前記開閉部に対応する位置に、対応する複合画像を表示する
請求項２に記載の立体表示装置。
【請求項４】
前記複数の系列の複合画像のうちの１つの系列の複合画像は、前記複数の視点画像を直接複合し生成されたものである。
請求項１に記載の立体表示装置
【請求項５】
前記表示部は液晶表示部であり、
バックライトをさらに備えた
請求項１から請求項４のいずれか一項に記載の立体表示装置。
【請求項６】
前記液晶表示部は、前記バックライトと前記光バリア部との間に配置されている
請求項５に記載の立体表示装置。
【請求項７】
前記光バリア部は、前記バックライトと前記液晶表示部との間に配置されている
請求項５に記載の立体表示装置。
【請求項８】
表示部の線順次走査の方向において複数のサブバリア領域に分割されると共に、前記サブバリア領域ごとに、複数の開閉部からなる開閉部グループを複数含む光バリアの複数の開閉部を開閉部グループごとに時分割的に切り替えて前記表示部の線順次走査に応じたタイミングで開閉動作し、
複数の異なる視点の視点画像のそれぞれに基づいて、前記サブバリア領域に対応する領域ごとに、各開閉部グループの開動作タイミングに応じて、前記複数の開閉部グループにそれぞれ対応する複数の系列の複合画像を生成し、
各開閉部グループの開閉動作に同期して、対応する系列の前記複合画像を前記表示部に表示し、
前記複数の系列の複合画像を生成する際、少なくとも１つの系列の前記複合画像を補間によって生成する
立体表示方法。
【発明の詳細な説明】
【技術分野】
【０００１】
本発明は、立体視表示が可能な、パララックスバリア方式の立体表示装置および立体表示方法に関する。
【背景技術】
【０００２】
近年、立体視表示を実現できる表示装置（立体表示装置）が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような立体表示装置は、専用の眼鏡が必要なものと、不要なものとに大別されるが、観察者にとっては専用の眼鏡は煩わしく感じるものであり、専用の眼鏡が不要なものが望まれている。専用の眼鏡が不要な表示装置としては、例えば、レンチキュラーレンズ方式や、視差バリア（パララックスバリア）方式などがある。これらの方式では、互いに視差がある複数の映像（視点映像）を同時に表示し、表示装置と観察者の視点との相対的な位置関係（角度）によって見える映像が異なるようになっている。このような表示装置で複数の視点の映像を表示した場合には、映像の実質的な解像度が、ＣＲＴ（Cathode Ray Tube）や液晶表示装置などの表示装置自体の解像度を視点の数で割ったものとなり、画質が低下してしまうという問題があった。
【０００４】
この問題を解決するために、様々な検討がなされている。例えば、特許文献１には、パララックスバリア方式において、表示面内に配置された複数のバリアのそれぞれの透過状態（開状態）および遮断状態（閉状態）を時分割的に切り替えて表示することにより、等価的に解像度を改善する表示装置が提案されている。この表示装置では、例えば、リフレッシュレートが６０Ｈｚの映像信号が供給された場合において、その映像信号の各画像に基づいて、１７ｍｓｅｃ（＝１／６０Ｈｚ）の間に、互いに表示位置をずらした２つの画像を生成し、その表示位置に応じてバリアを開閉動作することにより、解像度の改善を図るようになっている。
【０００５】
一方、映像表示装置における画質向上のための映像信号処理の一つに、フレーム補間を用いたフレームレート変換がある。このフレームレート変換は、入力された映像の隣接するフレームを補間した補間フレームを生成し、入力された映像にその補間フレームを追加するものである（例えば、特許文献２、３、非特許文献１など）。これにより、表示された映像は、より滑らかな映像になるとともに、例えば液晶表示装置の場合に画素の状態が１フレームの間保持し続けることに起因するいわゆる動きボケが低減され、その画質が向上するようになる。
【先行技術文献】
【特許文献】
【０００６】
【特許文献１】特開２００９−１０４１０５号公報
【特許文献２】特開２０１０−５６６９４号公報
【特許文献３】特開２００７−７４５８８号公報
【非特許文献】
【０００７】
【非特許文献１】“モーションフロー１２０Ｈｚ  倍速液晶”，“モーションフロー２４０Ｈｚ  ４倍速液晶”、［online］、ソニー株式会社、［平成２２年１０月１日検索］、インターネット〈 URL：http://www.sony.jp/bravia/technology/mf240/index.html  〉
【発明の概要】
【発明が解決しようとする課題】
【０００８】
ところで、立体表示装置においても、例えば滑らかな映像の実現などによる画質向上が望まれている。しかしながら、特許文献１には、この画質向上に関する記述は一切ない。また、特許文献２，３および非特許文献１には、立体表示装置に関する記述は一切ない。
【０００９】
本発明はかかる問題点に鑑みてなされたもので、その目的は、画質を高めることができる立体表示装置および立体表示方法を提供することにある。
【課題を解決するための手段】
【００１０】
本発明の立体表示装置は、光バリア部と、複合画像生成部と、表示部とを備えている。光バリア部は、複数の開閉部からなる開閉部グループを複数含み、グループ間で互いに異なるタイミングで個別に開閉動作するものである。複合画像生成部は、複数の異なる視点の視点画像に基づいて、各開閉部グループの開動作タイミングに応じて、複数の開閉部グループにそれぞれ対応する複数の系列の複合画像を生成するものである。表示部は、各開閉部グループの開閉動作に同期して、対応する系列の複合画像を線順次走査により表示するものである。上記複合画像生成部は、少なくとも１つの系列の複合画像を補間によって生成するものである。上記光バリア部は、線順次走査の方向において複数のサブバリア領域に分割されると共に、サブバリア領域ごとに複数の開閉部グループを含んでいる。各開閉部グループは、表示部の線順次走査に応じたタイミングで開閉動作する。そして、複合画像生成部は、サブバリア領域に対応する領域ごとに、各開閉部グループの開動作タイミングに応じた複数の系列の複合画像を生成するものである。
【００１２】
本発明の立体表示方法は、表示部の線順次走査の方向において複数のサブバリア領域に分割されると共に、サブバリア領域ごとに、複数の開閉部からなる開閉部グループを複数含む光バリアの複数の開閉部を開閉部グループごとに時分割的に切り替えて表示部の線順次走査に応じたタイミングで開閉動作し、複数の異なる視点の視点画像のそれぞれに基づいて、サブバリア領域に対応する領域ごとに、各開閉部グループの開動作タイミングに応じて、複数の開閉部グループにそれぞれ対応する複数の系列の複合画像を生成し、各開閉部グループの開閉動作に同期して、対応する系列の複合画像を表示部に表示するものである。複数の系列の複合画像を生成する際、少なくとも１つの系列の複合画像を補間によって生成する。
【００１３】
本発明の立体表示装置および立体表示方法では、各開閉部グループの開動作タイミングに応じて、各開閉部グループに対応して生成された複合画像が、開閉部の開閉動作により、立体的に視認されるように表示される。これにより、各開閉部が開動作する位置において、開動作タイミングに対応する複合画像が表示される。
【００１４】
本発明の立体表示装置では、例えば、複数の開閉部は、それぞれが線順次走査の方向に延在するように設けられると共に、各サブバリア領域において、線順次走査の方向と交差する方向に各開閉部グループが巡回的に現れるように並設されるのが望ましい。また、例えば、光バリア部の開閉部は、各サブバリア領域において、開閉部グループごとに時分割的に切り替えて開閉動作し、表示部は、開放状態になった開閉部に対応する位置に、対応する複合画像を表示するのが望ましい。
【００１６】
また、例えば、複数の系列の複合画像のうちの１つの系列の複合画像は、複数の視点画像を直接複合し生成されたものであってもよい。
【００１７】
また、例えば、表示部は液晶表示部であり、バックライトをさらに備えても良い。この場合、例えば、液晶表示部は、バックライトと光バリア部との間に配置されるようにしてもよいし、光バリア部は、バックライトと液晶表示部との間に配置されるようにしてもよい。
【発明の効果】
【００１８】
本発明の立体表示装置および立体表示方法によれば、各開閉部グループの開動作タイミングに応じて、各開閉部グループに対応した複合画像を生成するようにしたので、滑らかな映像を実現することができ、画質を高めることができる。
【図面の簡単な説明】
【００１９】
【図１】本発明の実施の形態に係る立体表示装置の一構成例を表すブロック図である。
【図２】第１の実施の形態に係る立体表示装置の一構成例を表す説明図である。
【図３】第１の実施の形態に係る補間処理部における補間処理の一動作例を表す模式図である。
【図４】第１の実施の形態に係る表示駆動部および表示部の一構成例を表すブロック図である。
【図５】第１の実施の形態に係る表示部の一構成例を表す説明図である。
【図６】第１の実施の形態に係る画素の一構成例を表す回路図である。
【図７】第１の実施の形態に係る液晶バリアの一構成例を表す説明図である。
【図８】第１の実施の形態に係る液晶バリアの立体視表示の一動作例を表す模式図である。
【図９】第１の実施の形態に係る表示部および液晶バリアの一動作例を表す模式図である。
【図１０】第１の実施の形態に係るフレーム画像を表す説明図である。
【図１１】第１の実施の形態に係る複合フレーム画像を表す説明図である。
【図１２】第１の実施の形態に係る表示部および液晶バリアの一動作例を表す他の模式図である。
【図１３】第１の実施の形態に係る表示部および液晶バリアの一動作例を表す他の模式図である。
【図１４】第１の実施の形態に係る立体表示装置の一動作例を表すタイミング図である。
【図１５】第１の実施の形態に係る立体表示装置の一動作例を表す模式図である。
【図１６】第１の実施の形態の変形例に係る立体表示装置の一動作例を表すタイミング図である。
【図１７】第２の実施の形態に係る液晶バリアの構成例を表す説明図である。
【図１８】第２の実施の形態に係る液晶バリアの立体視表示の動作例を表す模式図である。
【図１９】第２の実施の形態に係る表示部の区域を説明するための説明図である。
【図２０】第２の実施の形態に係る立体表示装置の一動作例を表すタイミング図である。
【図２１】第２の実施の形態に係る立体表示装置の一動作例を表す模式図である。
【図２２】第２の実施の形態の変形例に係るバックライトの一構成例を表す説明図である。
【図２３】第２の実施の形態の変形例に係る立体表示装置の一動作例を表すタイミング図である。
【図２４】変形例に係る立体表示装置の一動作例を表すタイミング図である。
【図２５】変形例に係る立体表示装置の一動作例を表す模式図である。
【図２６】他の変形例に係る立体表示装置の一構成例を表す説明図である。
【図２７】他の変形例に係る立体表示装置の一動作例を表す模式図である。
【図２８】他の変形例に係る液晶バリアの一構成例を表す平面図である。
【図２９】他の変形例に係る表示部および液晶バリアの一動作例を表す模式図である。
【発明を実施するための形態】
【００２０】
以下、本発明の実施の形態について、図面を参照して詳細に説明する。なお、説明は以下の順序で行う。
１．第１の実施の形態
２．第２の実施の形態
【００２１】
＜１．第１の実施の形態＞
［構成例］
（全体構成例）
図１は、本発明の実施の形態に係る立体表示装置の一構成例を表すものである。なお、本発明の実施の形態に係る立体表示方法は、本実施の形態により具現化されるので、併せて説明する。立体表示装置１は、複合画像生成部４５と、制御部４０と、表示駆動部５０と、表示部２０と、バックライト駆動部４２と、バックライト３０と、バリア駆動部４１と、液晶バリア１０とを備えている。
【００２２】
複合画像生成部４５は、外部より供給される映像信号Ｓdispに基づいて、映像信号Ｓdisp3を生成するものである。複合画像生成部４５は、補間画像生成部４８を含む補間処理部４６と、複合処理部４７とを有している。補間処理部４６は、後述するように、立体表示装置１が立体視映像を表示する場合において、映像信号Ｓdispに含まれる複数（この例では６つ）の各視点映像に対して、時系列上の補間処理をそれぞれ行い、映像信号Ｓdisp2を生成する機能を有している。複合処理部４７は、後述するように、映像信号Ｓdisp2に基づいて、各視点映像に対して複合処理を行い、複合フレーム画像ＦＡを含む映像信号ＳＡ、および複合フレーム画像ＦＢを含む映像信号ＳＢからなる映像信号Ｓdisp3を生成するものである。
【００２３】
制御部４０は、映像信号Ｓdisp3に基づいて、表示駆動部５０、バックライト駆動部４２、およびバリア駆動部４１がお互いに同期して動作するように制御する回路である。具体的には、制御部４０は、後述するように、立体表示装置１が立体視映像を表示する場合において、映像信号Ｓdisp3に基づいて、映像信号ＳＡ，ＳＢを表示駆動部５０に対して供給するとともに、バックライト駆動部４２に対してバックライト制御信号ＣＢＬを供給し、バリア駆動部４１に対してバリア制御信号ＣＢＲを供給することにより、これらを制御するようになっている。
【００２４】
表示駆動部５０は、制御部４０から供給される映像信号Ｓに基づいて表示部２０を駆動するものである。表示部２０は、線順次走査により表示を行うものであり、この例では、液晶表示素子を駆動して、バックライト３０から射出した光を変調することにより表示を行うようになっている。
【００２５】
バックライト駆動部４２は、制御部４０から供給されるバックライト制御信号ＣＢＬに基づいてバックライト３０を駆動するものである。バックライト３０は、表示部２０に対して面発光した光を射出するようになっている。バックライト３０は、例えば、ＬＥＤ（Light Emitting Diode）を用いて構成することができる。なお、これに限定されるものではなく、例えばＣＣＦＬ（Cold Cathode Fluorescent Lamp）により構成してもよい。
【００２６】
バリア駆動部４１は、制御部４０から供給されるバリア制御信号ＣＢＲに基づいて液晶バリア１０を駆動するものである。液晶バリア１０は、液晶により構成された複数の開閉部１１，１２（後述）を有し、バックライト３０から射出し表示部２０を透過した光を、透過または遮断する機能を有している。
【００２７】
図２は、立体表示装置１の要部の一構成例を表すものであり、（Ａ）は立体表示装置１の分解斜視構成を示し、（Ｂ）は立体表示装置１の側面図を示す。図２に示したように、立体表示装置１では、これらの各部品は、バックライト３０、表示部２０、および液晶バリア１０の順に配置されている。つまり、バックライト３０から射出した光は、表示部２０および液晶バリア１０を介して、観察者に届くようになっている。
【００２８】
（補間処理部４６）
補間処理部４６は、映像信号Ｓdispに含まれる、フレーム画像Ｅ（Ｅ１〜Ｅ６）から構成される６つの視点映像のそれぞれに対して、時系列上の補間処理を行い、フレーム画像Ｆ（Ｆ１〜Ｆ６）を含む映像信号Ｓdisp2を生成する。以下に、この補間処理を説明する。
【００２９】
図３は、補間処理部４６における補間処理を模式的に表すものであり、（Ａ）は補間処理前の映像を示し、（Ｂ）は補間処理後の映像を示す。補間処理部４６では、時間的に隣接するフレーム画像Ｅの画素情報に基づいて、補間画像生成部４８が補間フレーム画像Ｅｉを生成し、それらのフレーム画像Ｅの間にその補間フレーム画像Ｅｉを挿入することにより、一連のフレーム画像Ｆが生成される。この補間処理により、例えば、図３（Ａ）に示したように、ボール９がフレームの左から右へ移動する映像の場合では、図３（Ｂ）に示したように、ボール９がより滑らかに左から右へ移動するようになる。
【００３０】
このようにして、補間処理部４６は、６つの視点映像のそれぞれに対して、時間的に隣接するフレーム画像Ｅに基づいて補間フレーム画像Ｅｉを生成し、一連のフレーム画像Ｆ（フレーム画像Ｅおよび補間フレーム画像Ｅｉ）からなる、より滑らかな６つの視点映像を生成する。そして、補間処理部４６は、補間処理により生成された６つの視点映像を含む映像信号Ｓdisp2を、複合処理部４７に対して供給するようになっている。
【００３１】
（表示駆動部５０および表示部２０）
図４は、表示駆動部５０および表示部２０のブロック図の一例を表すものである。図５は、表示部２０の一構成例を表すものである。
【００３２】
図４に示したように、表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４０から供給された映像信号Ｓを映像信号Ｓ１としてデータドライバ５３へ供給するものである。ゲートドライバ５２は、タイミング制御部５１によるタイミング制御に従って、表示部２０内の画素Ｐｉｘを行ごとに順次選択して、線順次走査するものである。データドライバ５３は、表示部２０の各画素Ｐｉｘへ、映像信号Ｓ１に基づく画素信号を供給するものである。具体的には、データドライバ５３は、映像信号Ｓ１に基づいてＤ／Ａ（デジタル／アナログ）変換を行うことにより、アナログ信号である画素信号を生成し、各画素Ｐｉｘへ供給するようになっている。
【００３３】
表示部２０は、例えばガラスなどから構成される２枚の透明基板の間に液晶材料を封入したものである。これらの透明基板の液晶材料に面した部分には、例えばＩＴＯ（Indium Tin Oxide）などから構成される透明電極が形成され、液晶材料とともに画素Ｐｉｘを構成している。表示部２０には、図５に示したように、画素Ｐｉｘがマトリックス状に配置されている。
【００３４】
図６は、画素Ｐｉｘの回路図の一例を表すものである。画素Ｐｉｘは、ＴＦＴ（Thin Film Transistor）素子Ｔｒと、液晶素子ＬＣと、保持容量素子Ｃとを備えている。ＴＦＴ素子Ｔｒは、例えばＭＯＳ−ＦＥＴ（Metal Oxide Semiconductor-Field Effect Transistor）により構成されるものであり、ゲートがゲート線Ｇに接続され、ソースがデータ線Ｄに接続され、ドレインが液晶素子ＬＣの一端と保持容量素子Ｃの一端に接続されている。液晶素子ＬＣは、一端がＴＦＴ素子Ｔｒのドレインに接続され、他端は接地されている。保持容量素子Ｃは、一端がＴＦＴ素子Ｔｒのドレインに接続され、他端は保持容量線Ｃｓに接続されている。ゲート線Ｇはゲートドライバ５２に接続され、データ線Ｄはデータドライバ５３に接続されている。
【００３５】
この構成により、バックライト３０から射出した光は、表示部２０の入射側に配置された偏光板（図示せず）によって定められる方向の直線偏光となり、液晶素子ＬＣに入射する。液晶素子ＬＣでは、データ線Ｄを介して供給された画素信号に応じて、液晶分子の向きがある応答時間で変化する。このような液晶素子ＬＣに入射した光は、その偏光方向が変化する。そして、液晶素子ＬＣを透過した光は、表示部２０の出射側に配置された偏光板（図示せず）に入射し、特定の偏光方向の光のみが通過する。このようにして、液晶素子ＬＣでは光の強度変調が行われるようになっている。
【００３６】
（液晶バリア１０）
図７は、液晶バリア１０の一構成例を表すものであり、（Ａ）は液晶バリア１０の平面図を示し、（Ｂ）は側面図を示す。なお、この例では、液晶バリア１０はノーマリーブラック動作を行うものとする。つまり、液晶バリア１０は、駆動されていない状態では光を遮断するものとする。
【００３７】
液晶バリア１０は、図７（Ａ）に示したように、光を透過または遮断する複数の開閉部１１，１２を有している。開閉部１１および開閉部１２は、ｘ軸方向に交互に並設され、ｙ軸方向（順次走査方向）に延在するように形成されている。開閉部１１，１２は、立体表示装置１が通常表示（２次元表示）および立体視表示のどちらを行うかにより、異なる動作を行う。具体的には、開閉部１１は、後述するように、立体表示装置１が通常表示を行う際に開状態（透過状態）になり、立体視表示を行う際には、閉状態（遮断状態）となるものである。開閉部１２は、後述するように、立体表示装置１が通常表示を行う際に開状態（透過状態）になり、立体視表示を行う際には、時分割的に開閉動作を行うものである。
【００３８】
液晶バリア１０は、図７（Ｂ）に示したように、透明基板１３と、透明基板１３に対向して配置された透明基板１６と、透明基板１３と透明基板１６との間に挿設された液晶層１９とを備えている。透明基板１３，１６は、例えばガラスなどから構成されるものである。透明基板１３の液晶層１９側の面、および透明基板１６の液晶層１９側の面には、例えばＩＴＯなどから構成される複数の透明電極１５，１７がそれぞれ形成されている。透明基板１３上に形成された透明電極１５と、透明基板１６上に形成された透明電極１７とは、互いに対応する位置に配置されており、液晶層１９とともに開閉部１１，１２を構成している。透明基板１３の液晶層１９とは反対側の面、および透明基板１６の液晶層１９とは反対側の面には、偏光板１４，１８がそれぞれ形成されている。なお、図示していないが、図７（Ｂ）において、液晶バリア１０の右側（偏光板１８の右側）には、表示部２０およびバックライト３０が図２（Ｂ）に示した順に配置されている。
【００３９】
液晶バリア１０の開閉部１１，１２の開閉動作は、表示部２０における表示動作と同様である。すなわち、バックライト３０から射出し表示部２０を透過した光は、偏光板１８によって定められる方向の直線偏光となり、液晶層１９に入射する。液晶層１９では、透明電極１５，１７に供給された電位差に応じて、液晶分子の向きがある応答時間で変化する。このような液晶層１９に入射した光は、その偏光方向が変化する。そして、液晶層１９を透過した光は、偏光板１４に入射し、特定の偏光方向の光のみが通過する。このようにして、液晶層１９では光の強度変調が行われるようになっている。
【００４０】
この構成により、透明電極１５，１７に電圧を印加してその電位差を大きくなると、液晶層１９における光の透過率が増大し、開閉部１１，１２は透過状態になる。一方、透明電極１５，１７間の電位差が小さくなると、液晶層１９における光の透過率が減少し、開閉部１１，１２は遮断状態となる。
【００４１】
なお、この例では、液晶バリア１０はノーマリーブラック動作を行うものとしたが、これに限定されるものではなく、これに代えて、例えばノーマリーホワイト動作を行うものであってもよい。この場合には、透明電極１５，１７間の電位差が大きくなると、開閉部１１，１２は遮断状態となり、透明電極１５，１７間の電位差が小さくなると、開閉部１１，１２は透過状態となる。なお、ノーマリーブラック動作とノーマリーホワイト動作の選択は、例えば、偏光板と液晶配向により設定することができる。
【００４２】
複数の開閉部１２はグループを構成し、同じグループに属する複数の開閉部１２は、立体視表示を行う際、同じタイミングで開動作および閉動作を行うようになっている。以下に、開閉部１２のグループについて説明する。
【００４３】
図８は、開閉部１２のグループ構成例を表すものである。開閉部１２は、この例では２つのグループを構成している。具体的には、１つおきに配置された複数の開閉部１２が、グループＡおよびグループＢをそれぞれ構成している。なお、以下では、グループＡに属する開閉部１２の総称として開閉部１２Ａを適宜用い、同様に、グループＢに属する開閉部１２の総称として開閉部１２Ｂを適宜用いるものとする。
【００４４】
バリア駆動部４１は、立体視表示を行う際、同じグループに属する複数の開閉部１２が同じタイミングで開閉動作を行うように駆動する。具体的には、バリア駆動部４１は、後述するように、グループＡに属する複数の開閉部１２Ａと、グループＢに属する複数の開閉部１２Ｂとを、時分割的に交互に開閉動作するように駆動する。このように、同じグループに属する複数の開閉部１２が同じタイミングで動作するためには、例えば、バリア駆動部４１が、同じグループに属する複数の開閉部１２の透明電極１５，１７に対して、同時に駆動信号を印加すればよい。また、同じグループに属する複数の開閉部１２の透明電極１５，１７を互いに結線することにより、同時に駆動信号を印加するようにしてもよい。
【００４５】
図９は、立体視表示および通常表示（２次元表示）を行う場合の液晶バリア１０の状態を、断面構造を用いて模式的に表すものであり、（Ａ）は立体視表示を行う一状態を示し、（Ｂ）は立体視表示を行う他の状態を示し、（Ｃ）は通常表示を行う状態を示す。液晶バリア１０には、開閉部１１および開閉部１２（開閉部１２Ａ，１２Ｂ）が交互に配置されている。この例では、開閉部１２Ａは、表示部２０の６つの画素Ｐｉｘに１つの割合で設けられている。同様に、開閉部１２Ｂは、表示部２０の６つの画素Ｐｉｘに１つの割合で設けられている。以下の説明では、画素Ｐｉｘは、３つのサブピクセル（ＲＧＢ）から構成されたピクセルとするが、これに限定されるものではなく、例えば、画素Ｐｉｘがサブピクセルであってもよい。また、液晶バリア１０において、光が遮断される部分は斜線で示している。
【００４６】
立体視表示を行う場合には、表示駆動部５０に映像信号ＳＡ，ＳＢが交互に供給され、表示部２０はそれらに基づいて表示を行う。そして、液晶バリア１０では、開閉部１２（開閉部１２Ａ，１２Ｂ）が時分割的に開閉動作を行い、開閉部１１が閉状態（遮断状態）を維持する。具体的には、映像信号ＳＡが供給された場合には、図９（Ａ）に示したように、開閉部１２Ａが開状態になるとともに、開閉部１２Ｂが閉状態になる。表示部２０では、後述するように、この開閉部１２Ａに対応した位置に配置された互いに隣接する６つの画素Ｐｉｘが、映像信号ＳＡに含まれる６つの視点映像に対応する表示を行う。これにより、観察者は、後述するように、例えば左眼と右眼とで異なる視点映像を見ることにより、表示された映像を立体的な映像として感じるようになっている。同様に、映像信号ＳＢが供給された場合には、図９（Ｂ）に示したように、開閉部１２Ｂが開状態になるとともに、開閉部１２Ａが閉状態になる。表示部２０では、後述するように、この開閉部１２Ｂに対応した位置に配置された互いに隣接する６つの画素Ｐｉｘが、映像信号ＳＢに含まれる６つの視点映像に対応する表示を行う。これにより、観察者は、後述するように、例えば左眼と右眼とで異なる視点映像を見ることにより、表示された映像を立体的な映像として感じるようになっている。立体表示装置１では、このように、開閉部１２Ａと開閉部１２Ｂを交互に開放して映像を表示することにより、後述するように、表示装置の解像度を高めることができるようになっている。
【００４７】
通常表示（２次元表示）を行う場合には、液晶バリア１０では、図９（Ｃ）に示したように、開閉部１１および開閉部１２（開閉部１２Ａ，１２Ｂ）はともに開状態（透過状態）を維持するようになっている。これにより、観察者は、映像信号Ｓに基づいて表示部２０に表示された通常の２次元映像をそのまま見ることができる。
【００４８】
なお、図９に示したように、開閉部１１と開閉部１２との間には、開閉部境界２３が設けられている。この開閉部境界２３では、透明基板１３，１６上に透明電極１５，１７がそれぞれ形成されていない。つまり、開閉部境界２３は、開閉部１１と開閉部１２とは異なり、開閉動作を行うことができず、ノーマリーブラック動作を行う液晶バリア１０では常に閉状態（遮断状態）となる。一方、ノーマリーホワイト動作を行う液晶バリア１０では常に開状態（透過状態）となる。この開閉部境界２３は、開閉部１１，１２に比べて十分に小さいものであるため、観察者が気になることはほとんどない。これ以降の図および説明では、この開閉部境界２３を適宜省略することとする。
【００４９】
ここで、開閉部１２は、本発明における「開閉部」の一具体例に対応する。グループＡ，Ｂは、本発明における「開閉部グループ」の一具体例に対応する。液晶バリア１０は、本発明における「光バリア部」の一具体例に対応する。複合フレーム画像ＦＡ，ＦＢは、本発明における「複合画像」の一具体例に対応する。
【００５０】
［動作および作用］
続いて、本実施の形態の立体表示装置１の動作および作用について説明する。
【００５１】
（全体動作概要）
まず、図１を参照して、立体視表示を行う場合の立体表示装置１の全体動作を説明する。補間処理部４６は、外部より供給される映像信号Ｓdispに含まれる各視点画像（フレーム画像Ｅ（Ｅ１〜Ｅ６））に対して補間処理を行い、フレーム画像Ｆ（Ｆ１〜Ｆ６）を含む映像信号Ｓdisp2を生成する。複合処理部４７は、映像信号Ｓdisp2に含まれる各視点画像（フレーム画像Ｆ（Ｆ１〜Ｆ６））を複合処理することにより、複合フレーム画像ＦＡを含む映像信号ＳＡ、および複合フレーム画像ＦＢを含む映像信号ＳＢからなる映像信号Ｓdisp3を生成する。制御部４０は、映像信号Ｓdisp3に基づいて映像信号ＳＡ，ＳＢを表示駆動部５０に供給するとともに、バックライト駆動部４２、およびバリア駆動部４１に対してそれぞれ制御信号を供給し、これらがお互いに同期して動作するように制御する。バックライト駆動部４２は、バックライト３０を駆動する。バックライト３０は、面発光した光を表示部２０に対して射出する。表示駆動部５０は、制御部４０から供給される映像信号ＳＡ，ＳＢに基づいて表示部２０を駆動する。表示部２０は、バックライト３０から射出した光を変調することにより表示を行う。バリア駆動部４１は液晶バリア１０を駆動する。液晶バリア１０の開閉部１１，１２（１２Ａ，１２Ｂ）は、バックライト３０から射出し表示部２０を透過した光を透過または遮断する。
【００５２】
（立体視表示時の詳細動作）
次に、いくつかの図を参照して、立体視表示を行う場合の詳細動作を説明する。
【００５３】
立体表示装置１では、補間処理部４６が、映像信号Ｓdispのフレーム画像Ｅ（Ｅ１〜Ｅ６）に基づいて、上述した補間処理によりフレーム画像Ｆ（Ｆ１〜Ｆ６）を生成し、複合処理部４７が、その補間処理により生成されたフレーム画像Ｆ（Ｆ１〜Ｆ６）に基づいて、複合処理により複合フレーム画像ＦＡ，ＦＢを生成する。以下に、複合処理部４７の複合処理について説明する。
【００５４】
図１０は、補間処理部４６から供給された６つの視点映像のフレーム画像Ｆ１〜Ｆ６の画素配置を表すものである。図１１（Ａ）は、映像信号ＳＡを構成する複合フレーム画像ＦＡの画素配置を表すものであり、図１１（Ｂ）は、映像信号ＳＢを構成する複合フレーム画像ＦＢの画素配置を表すものである。複合処理部４７は、入力された映像信号Ｓdisp2に含まれる６つの視点映像のフレーム画像Ｆ１〜Ｆ６（図１０）に対して複合処理を行い、複合フレーム画像ＦＡ，ＦＢ（図１１）を交互に生成することにより、映像信号ＳＡ，ＳＢを生成する。すなわち、複合処理部４７は、補間処理部４６からあるタイミングで供給されたフレーム画像Ｆ１〜Ｆ６に基づいて複合フレーム画像ＦＡを生成し、次のタイミングで供給されたフレーム画像Ｆ１〜Ｆ６に基づいて複合フレーム画像ＦＢを生成する。
【００５５】
フレーム画像Ｆ１〜Ｆ６は、図１０に示したように、画素情報Ｐ１〜Ｐ６によりそれぞれ構成されている。具体的には、例えば、フレーム画像Ｆ１は、マトリックス状に配置された複数の画素情報Ｐ１（Ｐ１（０，０），…，Ｐ１（ｍ，ｎ），…（ｍ，ｎ：整数））により構成され、フレーム画像Ｆ２は、複数の画素情報Ｐ２（Ｐ２（０，０），…，Ｐ２（ｍ，ｎ），…）により構成されている。
【００５６】
複合処理部４７は、フレーム画像Ｆ１〜Ｆ６における偶数列の画素情報（例えばＰ１（０，ｎ），Ｐ１（２，ｎ）など）に基づいて複合フレーム画像ＦＡを生成する（図１１（Ａ））。複合処理部４７は、これらの画素情報を複合フレーム画像ＦＡに配置する際、横方向にフレーム画像Ｆ１〜Ｆ６間で巡回するように画素情報を配列する。具体的には、複合処理部４７は、複合フレーム画像ＦＡにおいて、図１１（Ａ）に示したように、複合フレーム画像ＦＡの左から右に向かって、フレーム画像Ｆ１〜Ｆ６の０列目（偶数列）の画素情報をＰ１（０，ｎ），Ｐ２（０，ｎ），…，Ｐ６（０，ｎ）のように配置し、続いて２列目（偶数列）の画素情報をＰ１（２，ｎ），Ｐ２（２，ｎ），…，Ｐ６（２，ｎ）のように続いて配置する。
【００５７】
同様に、複合処理部４７は、フレーム画像Ｆ１〜Ｆ６における奇数列の画素情報（例えばＰ１（１，ｎ），Ｐ１（３，ｎ）など）に基づいて複合フレーム画像ＦＢを生成する（図１１（Ｂ））。複合処理部４７は、これらの画素情報を複合フレーム画像ＦＢに配置する際、横方向にフレーム画像Ｆ１〜Ｆ６間で巡回するように画素情報を配列する。その際、複合処理部４７は、複合フレーム画像ＦＢにダミーの画素情報を３列分配置する。具体的には、複合処理部４７は、複合フレーム画像ＦＢにおいて、図１１（Ｂ）に示したように、複合フレーム画像ＦＢの左から右に向かって、まず、ダミーの画素情報Ｐ４（−１，ｎ），Ｐ５（−１，ｎ），Ｐ６（−１，ｎ）を配置した後、フレーム画像Ｆ１〜Ｆ６の１列目（奇数列）の画素情報を画素情報Ｐ１（１，ｎ），Ｐ２（１，ｎ），…，Ｐ６（１，ｎ）のように配置し、続いて３列目（奇数列）の画素情報をＰ１（３，ｎ），Ｐ２（３，ｎ），…，Ｐ６（３，ｎ）のように続いて配置する。すなわち、複合フレーム画像ＦＡにおける画素情報Ｐ１〜Ｐ６の配置と、複合フレーム画像ＦＡにおける画素情報Ｐ１〜Ｐ６の配置とは、互いにずれたものとなっている。なお、ダミーの画素情報は、例えば、黒色の情報を使用可能である。また、例えば、近くに配置された画素の画素情報に基づいて補間などにより生成するようにしてもよい。
【００５８】
複合処理部４７は、このようにして生成した、複合フレーム画像ＦＡを含む映像信号ＳＡおよび複合フレーム画像ＦＢを含む映像信号ＳＢを、制御部４０に供給する。そして、制御部４０は、この映像信号ＳＡ，ＳＢを表示駆動部５０に供給するとともに、この映像信号ＳＡ，ＳＢに同期したバリア制御信号ＣＢＲをバリア駆動部４１に供給する。これにより、表示部２０および液晶バリア１０はお互いに同期して動作する。以下にその動作例を説明する。
【００５９】
図１２は、表示部２０および液晶バリア１０の動作例を表すものであり、（Ａ）は映像信号ＳＡが供給された場合を示し、（Ｂ）は映像信号ＳＢが供給された場合を示す。図１３は、バックライト３０側からみた表示部２０における表示動作例を表すものであり、（Ａ）は映像信号ＳＡが供給された場合を示し、（Ｂ）は映像信号ＳＢが供給された場合を示す。
【００６０】
映像信号ＳＡが供給された場合には、図１２（Ａ），図１３（Ａ）に示したように、表示部２０の画素Ｐｉｘのそれぞれは、映像信号ＳＡに含まれる６つの視点映像のそれぞれに対応する画素情報Ｐ１〜Ｐ６を表示する。このとき、画素情報Ｐ１〜Ｐ６は、開閉部１２Ａ（バリア開放領域２１Ａ）付近に配置された画素Ｐｉｘにそれぞれ表示される。映像信号ＳＡが供給された場合には、液晶バリア１０では、開閉部１２Ａが開状態（透過状態）になるとともに、開閉部１２Ｂが閉状態になるように制御されている。表示部２０の各画素Ｐｉｘから出た光は、開閉部１２Ａによりそれぞれ角度が制限されて出力される。観察者は、例えば左眼で画素情報Ｐ３を、右眼で画素情報Ｐ４を見ることにより、立体的な映像を見ることができる。
【００６１】
映像信号ＳＢが供給された場合には、図１２（Ｂ），図１３（Ｂ）に示したように、表示部２０の画素Ｐｉｘのそれぞれは、映像信号ＳＢに含まれる６つの視点映像のそれぞれに対応する画素情報Ｐ１〜Ｐ６を表示する。このとき、画素情報Ｐ１〜Ｐ６は、開閉部１２Ｂ（バリア開放領域２１Ｂ）付近に配置された画素Ｐｉｘにそれぞれ表示される。すなわち、上述したように、複合処理部４７が複合フレーム画像ＦＡ，ＦＢ（映像信号ＳＡ，ＳＢ）を生成する際に、複合フレーム画像ＦＡ，ＦＢ間で画素情報Ｐ１〜Ｐ６をずらして配置したことにより、互いにずれて配置された開閉部１２Ａ，１２Ｂに対応した位置に、画素情報Ｐ１〜Ｐ６がそれぞれ表示される。映像信号ＳＢが供給された場合には、液晶バリア１０では、開放部１２Ｂが開状態（透過状態）になるとともに、開放部１２Ａが閉状態になるように制御されている。表示部２０の各画素Ｐｉｘから出た光は、開閉部１２Ｂによりそれぞれ角度が制限されて出力される。観察者は、例えば左眼で画素情報Ｐ３を、右眼で画素情報Ｐ４を見ることにより、立体的な映像を見ることができる。
【００６２】
このように、観察者は、左眼と右眼とで、画素情報Ｐ１〜Ｐ６のうちの異なる画素情報を見ることとなり、観察者は立体的な映像として感じることができる。また、開閉部１２Ａと開閉部１２Ｂを時分割的に交互に開放して映像を表示することにより、観察者は、互いにずれた位置に表示される映像を平均化して見ることとなる。よって、立体表示装置１は、開閉部１２Ａのみをもつ場合に比べ、２倍の解像度を実現することが可能となる。言い換えれば、立体表示装置１の解像度は、２次元表示の場合に比べ１／３（＝１／６×２）で済むこととなる。
【００６３】
次に、図１４および図１５を参照して、立体表示装置１の動作を詳細に説明する。
【００６４】
図１４は、立体表示装置１における表示動作のタイミング図を表すものであり、（Ａ）は表示部２０の動作を示し、（Ｂ）は液晶バリア１０の開閉部１２Ａの動作を示し、（Ｃ）は液晶バリア１０の開閉部１２Ｂの動作を示す。
【００６５】
図１５は、複合画像生成部４５における映像信号ＳＡ，ＳＢの生成例を表すものであり、（Ａ）は映像信号Ｓdispを示し、（Ｂ）は映像信号ＳＡを示し、（Ｃ）は映像信号ＳＢを示す。
【００６６】
図１４（Ａ）の縦軸は、表示部２０の線順次走査方向（ｙ軸方向）の位置を示している。つまり、図１４（Ａ）は、ある時刻の、あるｙ軸方向の位置における表示部２０の動作状態を示している。図１４（Ａ）において、“ＳＡ”は表示部２０が映像信号ＳＡに基づく表示を行っている状態を示し、“ＳＢ”は表示部２０が映像信号ＳＢに基づく表示を行っている状態を示している。また、図１４（Ｂ），（Ｃ）において、“開”は開閉部１２（１２Ａ，１２Ｂ）が開状態であることを示し、“閉”は開閉部１２が閉状態であることを示している。
【００６７】
図１５（Ａ）において、例えば、フレーム画像Ｅ１（ｔ１）は、タイミングｔ１に係るフレーム画像Ｅ１を示し、フレーム画像Ｅ６（ｔ５）は、タイミングｔ５に係るフレーム画像Ｅ６を示す。また、図１５（Ｂ），（Ｃ）において、ＦＡ（ｔ１）は、タイミングｔ１に係る複合フレーム画像ＦＡを示し、ＦＢ（ｔ３）は、タイミングｔ３に係る複合フレーム画像ＦＢを示す。
【００６８】
立体表示装置１では、走査周期Ｔ１で行われる線順次走査により、開閉部１２Ａにおける表示（映像信号ＳＡに基づく表示）と開閉部１２Ｂにおける表示（映像信号ＳＢに基づく表示）とを時分割的に行う。そして、周期Ｔごとにこれらの表示を繰り返す。ここで、周期Ｔは、例えば、１６．７［msec］（６０［Ｈｚ］の一周期分）にすることが可能である。この場合、走査周期Ｔ１は、４．２［msec］（周期Ｔの４分の１）である。
【００６９】
立体表示装置１は、タイミングｔ１〜ｔ３の期間において、映像信号ＳＡに基づく表示を行う。
【００７０】
まず、複合画像生成部４５は、図１５に示したように、映像信号Ｓdispに基づいて、タイミングｔ１に係る、映像信号ＳＡの複合フレーム画像ＦＡ（ｔ１）を生成する。具体的には、補間処理部４６は、映像信号Ｓdispに含まれるフレーム画像Ｅ１（ｔ１）〜Ｅ６（ｔ１）をＦ１（ｔ１）〜Ｆ６（ｔ１）（図示せず）として複合処理部４７に供給する。そして、複合処理部４７は、補間処理部４６から供給されたフレーム画像Ｆ１（ｔ１）〜Ｆ６（ｔ１）に基づいて、映像信号ＳＡを構成する複合フレーム画像ＦＡ（ｔ１）を生成する。
【００７１】
そして、タイミングｔ１〜ｔ２の期間において、表示部２０では、表示駆動部５０から供給される駆動信号に基づき、最上部から最下部に向かって線順次走査が行われ、映像信号ＳＡ（複合フレーム画像ＦＡ（ｔ１））に基づく表示が行われる（図１４（Ａ））。液晶バリア１０では、このタイミングｔ１〜ｔ２の期間において、開閉部１２Ａ，１２Ｂが閉状態を維持する（図１４（Ｂ），（Ｃ））。これにより、観察者は、表示部２０における、映像信号ＳＢに基づく表示から映像信号ＳＡに基づく表示への過渡的な変化を見ることがないので、画質劣化を低減することができる。
【００７２】
そして、タイミングｔ２〜ｔ３の期間において、表示部２０では、表示駆動部５０から供給される駆動信号に基づき、最上部から最下部に向かって線順次走査が行われ、映像信号ＳＡ（複合フレーム画像ＦＡ（ｔ１））に基づく表示が再度行われる（図１４（Ａ））。すなわち、この例では、タイミングｔ１〜ｔ３の期間において、複合フレーム画像ＦＡ（ｔ１）による表示動作が２回繰り返される。液晶バリア１０では、タイミングｔ２において、バリア駆動部４１からの駆動信号に基づき、開閉部１２Ａが開状態になる。これにより、タイミングｔ２〜ｔ３の期間において、観察者は表示部２０の映像信号ＳＡに基づく表示を見ることができる。
【００７３】
次に、立体表示装置１は、タイミングｔ３〜ｔ５の期間において、映像信号ＳＢに基づく表示を行う。
【００７４】
まず、複合画像生成部４５は、図１５に示したように、映像信号Ｓdispに基づいて、タイミングｔ３に係る、映像信号ＳＢの複合フレーム画像ＦＢ（ｔ３）を生成する。具体的には、補間処理部４６の補間画像生成部４８は、映像信号Ｓdispに含まれるフレーム画像Ｅ１（ｔ１）〜Ｅ６（ｔ１）およびフレーム画像Ｅ１（ｔ５）〜Ｅ６（ｔ５）に基づいて、補間処理によりフレーム画像Ｆ１（ｔ３）〜Ｆ６（ｔ３）（図示せず）を生成する。そして、複合処理部４７は、補間処理部４６から供給されたフレーム画像Ｆ１（ｔ３）〜Ｆ６（ｔ３）に基づいて、映像信号ＳＢを構成する複合フレーム画像ＦＢ（ｔ３）を生成する。
【００７５】
そして、タイミングｔ３〜ｔ４の期間において、表示部２０では、表示駆動部５０から供給される駆動信号に基づき、最上部から最下部に向かって線順次走査が行われ、映像信号ＳＢ（複合フレーム画像ＦＢ（ｔ３））に基づく表示が行われる（図１４（Ａ））。液晶バリア１０では、タイミングｔ３において、バリア駆動部４１からの駆動信号に基づき、開閉部１２Ａが閉状態になり、タイミングｔ３〜ｔ４の期間において、開閉部１２Ａ，１２Ｂが閉状態を維持する（図１４（Ｂ），（Ｃ））。これにより、観察者は、表示部２０における、映像信号ＳＡに基づく表示から映像信号ＳＢに基づく表示への過渡的な変化を見ることがないので、画質劣化を低減することができる。
【００７６】
そして、タイミングｔ４〜ｔ５の期間において、表示部２０では、表示駆動部５０から供給される駆動信号に基づき、最上部から最下部に向かって線順次走査が行われ、映像信号ＳＢ（複合フレーム画像ＦＢ（ｔ３））に基づく表示が再度行われる（図１４（Ａ））。すなわち、この例では、タイミングｔ３〜ｔ５の期間において、複合フレーム画像ＦＢ（ｔ３）による表示動作が２回繰り返される。液晶バリア１０では、タイミングｔ４において、バリア駆動部４１からの駆動信号に基づき、開閉部１２Ｂが開状態になる。これにより、タイミングｔ４〜ｔ５の期間において、観察者は表示部２０の映像信号ＳＢに基づく表示を見ることができる。
【００７７】
以上の動作を繰り返すことにより、立体表示装置１は、映像信号Ｓdispに基づいて複合フレーム画像ＦＡおよび複合フレーム画像ＦＢを生成し、映像信号ＳＡ（複合フレーム画像ＦＡ）に基づく表示（開閉部１２Ａにおける表示）と、映像信号ＳＢ（複合フレーム画像ＦＢ）に基づく表示（開閉部１２Ｂにおける表示）とを交互に繰り返して行う。
【００７８】
このように、映像信号Ｓdispに基づいて交互に生成した複合フレーム画像ＦＡ，ＦＢを、互いにずれた位置（開閉部１２Ａ，１２Ｂ）に交互に表示することにより、いわゆるインターレース表示のような効果を得ることができ、滑らかな映像を得ることができる。
【００７９】
［効果］
以上のように本実施の形態では、補間処理により生成した、異なるタイミングに係る複合フレーム画像ＦＡ，ＦＢを、互いにずれた位置に交互に表示するようにしたので、滑らかな映像表示を実現することができ、画質を高めることができる。
【００８０】
［変形例１］
上記実施の形態では、バックライトは常時点灯するものとしたが、これに限定されるものではなく、これに代えて、例えば、一定周期で点灯および消灯を繰り返すようにしてもよい。これは、例えば、液晶バリア１０の開閉部１２（１２Ａ，１２Ｂ）が、液晶の応答速度に対応する応答時間を経て開閉動作する場合に適用可能である。以下にその詳細を説明する。
【００８１】
図１６は、本変形例に係る立体表示装置における表示動作のタイミング図を表すものであり、（Ａ）は表示部２０の動作を示し、（Ｂ）は液晶バリア１０の開閉部１２Ａの動作を示し、（Ｃ）は液晶バリア１０の開閉部１２Ｂの動作を示し、（Ｄ）はバックライト３０の動作を示す。図１６（Ｂ），（Ｃ）において、“開→閉”は開閉部１２（１２Ａ，１２Ｂ）が開状態から閉状態に変化している状態を示しており、“閉→開”は開閉部１２が閉状態から開状態に変化している状態であることを示している。この“開→閉”および“閉→開”は、液晶バリア１０の開閉部１２の液晶分子の応答に対応するものである。バックライト３０は、開閉部１２が開状態になった期間において点灯し、その他の期間では消灯する。これにより、観察者は、開閉部１２が“開→閉”および“閉→開”のように過渡的に変化する状態における表示を見ることがないため、画質劣化を低減することができる。
【００８２】
［その他の変形例］
上記実施の形態では、映像信号Ｓdispから直接映像信号ＳＡ（複合フレーム画像ＦＡ）を生成するとともに、補間処理により映像信号ＳＢ（複合フレーム画像ＦＢ）を生成したが、これに限定されるものではなく、これに代えて、例えば、映像信号Ｓdispから直接映像信号ＳＢを生成するとともに、補間処理により映像信号ＳＡを生成してもよいし、補間処理により映像信号ＳＡ，ＳＢの両方を生成してもよい。
【００８３】
また、上記実施の形態では、フレーム画像Ｅに対して、最初に補間処理を行ってフレーム画像Ｆを生成し、その後に複合処理を行って複合フレーム画像ＦＡ，ＦＢを生成したが、これに限定されるものではなく、これに代えて、例えば、最初に複合処理を行った後に補間処理を行ってもよいし、また、同時に補間処理および複合処理を行ってもよい。
【００８４】
また、上記実施の形態では、表示部２０において、同じ複合フレーム画像の表示動作（線順次走査）が２回繰り返されるようにしたが、これに限定されるものではなく、これに代えて、例えば２回目の線順次走査を省くようにしてもよい。具体的には、例えば、図１４において、タイミングｔ１〜ｔ３の期間において映像信号ＳＡに基づく表示を行う際には、タイミングｔ１〜ｔ２の期間において線順次走査を行った後、タイミングｔ２〜ｔ３の期間では走査を停止し、タイミングｔ３〜ｔ５の期間において映像信号ＳＢに基づく表示を行う際には、タイミングｔ３〜ｔ４の期間において線順次走査を行った後、タイミングｔ４〜ｔ５の期間では走査を停止してもよい。
【００８５】
＜２．第２の実施の形態＞
本実施の形態では、上記第１の実施の形態における液晶バリア１０の開閉部１２を線順次走査方向（ｙ軸方向）に分割し、これに伴い、補間処理部における補間処理の方法を変更したものである。すなわち、本実施の形態では、上記第１の実施の形態（図１等）において、液晶バリア１０に代えて、開閉部１２を分割した液晶バリア６０を用い、複合画像生成部４５に代えて、複合画像生成部４５とは異なる補間処理を行う複合画像生成部６５を用いて、立体表示装置２を構成している。なお、上記第１の実施の形態に係る立体表示装置１と実質的に同一の構成部分には同一の符号を付し、適宜説明を省略する。
【００８６】
図１７は、液晶バリア６０の一構成例を表すものである。液晶バリア６０は、開閉部６２を有している。開閉部６２は、上記第１の実施の形態に係る液晶バリア１０における開閉部１２に対応するものである。液晶バリア６０には、ｙ軸方向（線順次走査方向）に並ぶように区域Ｚ１，Ｚ２が設定され、開閉部６２は、各区域において、ｘ軸方向に開閉部１１と交互に並設されている。
【００８７】
液晶バリア６０では、区域Ｚ１に配置された開閉部６２と、区域Ｚ２に配置された開閉部６２とは、互いに独立して動作できるようになっている。バリア駆動部４１は、これらの開閉部６２を独立に駆動することにより、立体視表示を行う際、区域Ｚ１の開閉部６２が開閉動作を行うタイミングと、区域Ｚ２の開閉部６２が開閉動作を行うタイミングとが互いに異なるようにすることができる。
【００８８】
図１８は、開閉部６２のグループ構成例を表すものである。区域Ｚ１，Ｚ２のそれぞれにおいて、開閉部６２は、この例では２つのグループを構成している。具体的には、区域Ｚ１において、１つおきに配置された複数の開閉部６２が、グループＡ１およびグループＢ１をそれぞれ構成している。同様に、区域Ｚ２において、１つおきに配置された複数の開閉部６２が、グループＡ２およびグループＢ２をそれぞれ構成している。
【００８９】
バリア駆動部４１は、立体視表示を行う際、同じグループに属する複数の開閉部６２が同じタイミングで開閉動作を行うように駆動する。具体的には、区域Ｚ１において、バリア駆動部４１は、グループＡ１に属する複数の開閉部６２と、グループＢ１に属する複数の開閉部６２とを、時分割的に交互に開閉動作するように駆動する。同様に、区域Ｚ２において、バリア駆動部４１は、グループＡ２に属する複数の開閉部６２と、グループＢ２に属する複数の開閉部６２とを、時分割的に交互に開閉動作するように駆動する。
【００９０】
なお、以下では、グループＡ１，Ａ２に属する開閉部６２の総称として開閉部６２Ａを適宜用い、同様に、グループＢ１，Ｂ２に属する開閉部６２の総称として開閉部６２Ｂを適宜用いるものとする。
【００９１】
ここで、グループＡ１，Ａ２，Ｂ１，Ｂ２は、本発明における「開閉部グループ」の一具体例に対応する。区域Ｚ１，Ｚ２は、本発明における「サブバリア領域」の一具体例に対応する。
【００９２】
立体表示装置２では、液晶バリア６０の区域Ｚ１，Ｚ２の開閉部６２が独立に開閉動作するのに伴い、表示部２０における、液晶バリア６０の区域Ｚ１，Ｚ２に対応する領域において、互いに異なる複合フレーム画像に基づいて表示を行う。
【００９３】
図１９は、表示部２０における区域Ｚ１，Ｚ２を表すものである。この区域Ｚ１，Ｚ２は、液晶バリア６０における区域Ｚ１，Ｚ２に対応する位置に設けられている。これにより、バックライト３０から射出した光は、表示部２０の区域Ｚ１を介して液晶バリア１０の区域Ｚ１に入射し、表示部２０の区域Ｚ２を介して液晶バリア６０の区域Ｚ２に入射する。
【００９４】
複合画像生成部６５は、図１に示したように、補間画像生成部６８を含む補間処理部６６を有している。補間画像生成部６８は、後述するように、６つの視点映像のそれぞれにおいて、時間的に隣接するフレーム画像Ｅに基づいて、それぞれタイミングの異なる３枚の補間フレーム画像Ｅｉを生成するものである。
【００９５】
図２０は、立体表示装置２における表示動作のタイミング図を表すものであり、（Ａ）は表示部２０の動作を示し、（Ｂ）は液晶バリア６０の開閉部６２Ａの動作を示し、（Ｃ）は液晶バリア６０の開閉部６２Ｂの動作を示す。
【００９６】
図２１は、複合画像生成部６５における映像信号ＳＡ，ＳＢの生成例を表すものであり、（Ａ）は映像信号Ｓdispを示し、（Ｂ）は映像信号ＳＡを示し、（Ｃ）は映像信号ＳＢを示す。
【００９７】
図２０において、表示部２０および開閉部６２Ａ，６２Ｂの動作は、区域Ｚ１，Ｚ２ごとに示している。すなわち、図２０（Ａ）において、区域Ｚ１の部分に示されている“ＳＡ”は、表示部２０が区域Ｚ１において映像信号ＳＡに基づく表示を行っている状態を示し、区域Ｚ２の部分に示されている“ＳＡ”は、表示部２０が区域Ｚ２において映像信号ＳＡに基づく表示を行っている状態を示している。同様に、区域Ｚ１の部分に示されている“ＳＢ”は、表示部２０が区域Ｚ１において映像信号ＳＢに基づく表示を行っている状態を示し、区域Ｚ２の部分に示されている“ＳＢ”は表示部２０が区域Ｚ２において映像信号ＳＢに基づく表示を行っている状態を示している。また、図２０（Ｂ）において、区域Ｚ１の部分に示されている“開”，“閉”は、区域Ｚ１における開閉部６２Ａ（グループＡ１に属する開閉部６２）の動作を示し、区域Ｚ２の部分に示されている“開”，“閉”は、区域Ｚ２における開閉部６２Ａ（グループＡ２に属する開閉部６２）の動作を示す。同様に、図２０（Ｃ）において、区域Ｚ１の部分に示されている“開”，“閉”は、区域Ｚ１における開閉部６２Ｂ（グループＢ１に属する開閉部６２）の動作を示し、区域Ｚ２の部分に示されている“開”，“閉”は、区域Ｚ２における開閉部６２Ｂ（グループＢ２に属する開閉部６２）の動作を示す。
【００９８】
立体表示装置２は、タイミングｔ１１〜ｔ１３の期間において、映像信号ＳＡに基づく表示を行う。
【００９９】
まず、複合画像生成部６５は、図２１に示したように、映像信号Ｓdispに基づいて、タイミングｔ１１に係る、映像信号ＳＡの複合フレーム画像ＦＡ（ｔ１１）を生成する。具体的には、補間処理部６６は、映像信号Ｓdispに含まれるフレーム画像Ｅ１（ｔ１１）〜Ｅ６（ｔ１１）をフレーム画像Ｆ１（ｔ１１）〜Ｆ６（ｔ１１）として複合処理部４７に供給する。そして、複合処理部４７は、補間処理部６６から供給されたフレーム画像Ｆ１（ｔ１１）〜Ｆ６（ｔ１１）に基づいて、映像信号ＳＡを構成する複合フレーム画像ＦＡ（ｔ１１）を生成する。
【０１００】
そして、複合画像生成部６５は、図２１に示したように、映像信号Ｓdispに基づいて、タイミングｔ１２に係る、映像信号ＳＡの複合フレーム画像ＦＡ（ｔ１２）を生成する。具体的には、補間処理部６６の補間画像生成部６８は、映像信号Ｓdispに含まれるフレーム画像Ｅ１（ｔ１１）〜Ｅ６（ｔ１１）およびフレーム画像Ｅ１（ｔ１５）〜Ｅ６（ｔ１５）に基づいて、補間処理によりＦ１（ｔ１２）〜Ｆ６（ｔ１２）（図示せず）を生成する。そして、複合処理部４７は、補間処理部６６から供給されたフレーム画像Ｆ１（ｔ１２）〜Ｆ６（ｔ１２）に基づいて、映像信号ＳＡを構成する複合フレーム画像ＦＡ（ｔ１２）を生成する。
【０１０１】
そして、タイミングｔ１１〜ｔ１３の期間において、図２０に示したように、表示部２０では映像信号ＳＡに基づく線順次走査が行われ、区域Ｚ１において複合フレーム画像ＦＡ（ｔ１１）が表示されるとともに、区域Ｚ２において複合フレーム画像ＦＡ（ｔ１２）が表示される（図２０（Ａ））。つまり、表示部２０の区域Ｚ１には、複合フレーム画像ＦＡ（ｔ１１）のうちの上半分（区域Ｚ１に対応する部分）が表示され、区域Ｚ２には、複合フレーム画像ＦＡ（ｔ１２）の下半分（区域Ｚ２に対応する部分）が表示される。そして、液晶バリア６０では、タイミングｔ１２〜ｔ１３の期間において、区域Ｚ１における開閉部６２Ａが開状態になり、タイミングｔ１３〜ｔ１４の期間において、区域Ｚ２における開閉部６２Ａが開状態になる（図２０（Ｂ））。これにより、タイミングｔ１２〜ｔ１４の期間において、観察者は表示部２０の映像信号ＳＡに基づく表示を見ることができる。
【０１０２】
次に、立体表示装置２は、タイミングｔ１３〜ｔ１５の期間において、映像信号ＳＢに基づく表示を行う。
【０１０３】
まず、複合画像生成部６５は、図２１に示したように、映像信号Ｓdispに基づいて、タイミングｔ１３に係る、映像信号ＳＢの複合フレーム画像ＦＢ（ｔ１３）を生成する。具体的には、補間処理部６６の補間画像生成部６８は、補間処理によりＦ１（ｔ１３）〜Ｆ６（ｔ１３）（図示せず）を生成し、複合処理部４７は、それらに基づいて映像信号ＳＢを構成する複合フレーム画像ＦＢ（ｔ１３）を生成する。
【０１０４】
そして、複合画像生成部６５は、同様に、映像信号Ｓdispに基づいて、タイミングｔ１４に係る、映像信号ＳＢの複合フレーム画像ＦＢ（ｔ１４）を生成する。具体的には、補間処理部６６の補間画像生成部６８は、補間処理によりＦ１（ｔ１４）〜Ｆ６（ｔ１４）（図示せず）を生成し、複合処理部４７は、それらに基づいて映像信号ＳＢを構成する複合フレーム画像ＦＢ（ｔ１４）を生成する。
【０１０５】
そして、タイミングｔ１３〜ｔ１５の期間において、図２０に示したように、表示部２０では映像信号ＳＢに基づく線順次走査が行われ、区域Ｚ１において複合フレーム画像ＦＢ（ｔ１３）が表示されるとともに、区域Ｚ２において複合フレーム画像ＦＢ（ｔ１４）が表示される（図２０（Ａ））。つまり、表示部２０の区域Ｚ１には、複合フレーム画像ＦＢ（ｔ１３）のうちの上半分（区域Ｚ１に対応する部分）が表示され、区域Ｚ２には、複合フレーム画像ＦＢ（ｔ１４）の下半分（区域Ｚ２に対応する部分）が表示される。そして、液晶バリア６０では、タイミングｔ１４〜ｔ１５の期間において、区域Ｚ１における開閉部６２Ｂが開状態になり、タイミングｔ１５〜ｔ１６の期間において、区域Ｚ２における開閉部６２Ｂが開状態になる（図２０（Ｃ））。これにより、タイミングｔ１４〜ｔ１６の期間において、観察者は表示部２０の映像信号ＳＢに基づく表示を見ることができる。
【０１０６】
以上の動作を繰り返すことにより、立体表示装置２は、映像信号Ｓdispに基づいて補間処理により複合フレーム画像ＦＡ，ＦＢを生成し、映像信号ＳＡ（複合フレーム画像ＦＡ）に基づく表示（開閉部６２Ａにおける表示）と、映像信号ＳＢ（複合フレーム画像ＦＢ）に基づく表示（開閉部６２Ｂにおける表示）とを交互に繰り返して行う。
【０１０７】
以上のように本実施の形態では、表示部２０の区域Ｚ１，Ｚ２において、補間処理により生成した異なる複合フレーム画像ＦＡ，ＦＢに基づいて表示を行うようにしたので、滑らかな映像表示を実現することができ、画質を高めることができる。その他の効果は、上記第１の実施の形態の場合と同様である。
【０１０８】
［変形例２−１］
上記実施の形態では、複合画像生成部６５は、複合フレーム画像ＦＡ，ＦＢを１枚単位で生成するようにしたが、これに限定されるものではなく、これに代えて、例えば、複合フレーム画像ＦＡ，ＦＢのうち必要な部分（上半分もしくは下半分）のみを生成するようにしてもよい。例えば、図２１において、複合画像生成部６５は、タイミングｔ１１においては複合フレーム画像ＦＡ（ｔ１１）の上半分のみを生成し、タイミングｔ１２においては複合フレーム画像ＦＡ（ｔ１２）の下半分のみを生成し、タイミングｔ１３においては複合フレーム画像ＦＢ（ｔ１３）の上半分のみを生成し、タイミングｔ１４においては複合フレーム画像ＦＢ（ｔ１４）の下半分のみを生成するようにしてもよい。
【０１０９】
［変形例２−２］
上記実施の形態では、バックライトは常時点灯するものとしたが、これに限定されるものではなく、これに代えて、例えば、上記第１の実施の形態の変形例と同様に、一定周期で点灯および消灯を繰り返すようにしてもよい。以下に、液晶バリア６０の開閉部６２（６２Ａ，６２Ｂ）の応答時間を考慮した場合の例を説明する。
【０１１０】
図２２は、本変形例に係るバックライト３０Ｂの一構成例を表すものであり、（Ａ）はバックライト３０Ｂの平面図を示し、（Ｂ）はバックライト３０Ｂの要部の斜視図を示す。バックライト３０Ｂは、図２２（Ａ）に示したように、独立して発光可能な２つの発光部ＢＬ１，ＢＬ２を有している。発光部ＢＬ１，ＢＬ２は、図２２（Ｂ）に示したように、それぞれ、光源３１と、導光板３２とを有している。光源３１は、この例では、ＬＥＤにより構成されている。導光板３２は、光源３１から射出した光を拡散することにより、発光部ＢＬ１，ＢＬ２がほぼ均一に面発光するように機能する。発光部ＢＬ１，ＢＬ２は、表示部２０および液晶バリア６０の区域Ｚ１，Ｚ２に対応した位置にそれぞれ設けられている。
【０１１１】
発光部ＢＬ１，ＢＬ２が独立して発光できるようにするため、バックライト３０Ｂでは、発光部ＢＬ１と発光部ＢＬ２との間で互いに光が伝わらないようになっている。具体的には、まず、１つの光源３１から射出した光は、その光源３１に対応する導光板３２にのみ入射するようになっている。そして、導光板３２に入射した光は、導光板３２の側面において全反射するようになっており、これにより隣接する導光板３２にこの側面を介して光が伝わらないようになっている。この全反射は、具体的には、光源３１の位置を調整し、あるいは、導光板３２の側面に光反射を起こす反射面を設けることにより実現可能である。なお、この例では、光源３１はＬＥＤにより構成されるものとしたが、これに限定されるものではなく、これに代えて、例えばＣＣＦＬにより構成されるようにしてもよい。
【０１１２】
図２３は、本変形例に係る立体表示装置における表示動作のタイミング図を表すものであり、（Ａ）は表示部２０の動作を示し、（Ｂ）は液晶バリア６０の開閉部６２Ａの動作を示し、（Ｃ）は液晶バリア６０の開閉部６２Ｂの動作を示し、（Ｄ）はバックライト３０Ｂの動作を示す。図２３（Ｂ）において、区域Ｚ１，Ｚ２の部分に示されている“開”，“開→閉”“閉”，“閉→開”は、区域Ｚ１，Ｚ２における開閉部６２Ａの動作を示す。同様に、図２３（Ｃ）において、区域Ｚ１，Ｚ２の部分に示されている“開”，“開→閉”“閉”，“閉→開”は、区域Ｚ１，Ｚ２における開閉部６２Ｂの動作を示す。バックライト３０Ｂの発光部ＢＬ１は、液晶バリア６０の区域Ｚ１の開閉部６２（６２Ａ，６２Ｂ）が開状態になった期間において点灯し、その他の期間では消灯する。同様に、バックライト３０Ｂの発光部ＢＬ２は、液晶バリア６０の区域Ｚ２の開閉部６２（６２Ａ，６２Ｂ）が開状態になった期間において点灯し、その他の期間では消灯する。これにより、観察者は、開閉部６２が“開→閉”および“閉→開”のように過渡的に変化する状態における表示を見ることがないため、画質劣化を低減することができる。
【０１１３】
［その他の変形例］
上記実施の形態では、液晶バリアの開閉部１２を線順次走査方向（ｙ軸方向）に２分割したが、これに限定されるものではなく、これに代えて３つ以上に分割してもよい。この場合、例えば、表示部の区域数もその分割数に応じて変更し、複合画像生成部６５は、その区域ごとに補間処理を行って複合フレーム画像をそれぞれ生成するのが望ましい。
【０１１４】
以上、いくつかの実施の形態および変形例を挙げて本発明を説明したが、本発明はこれらの実施の形態等には限定されず、種々の変形が可能である。
【０１１５】
例えば、上記実施の形態等では、表示部２０における表示の応答時間は短いものとしたが、これに限定されるものではなく、その応答時間が長くてもよい。以下に、その詳細を説明する。
【０１１６】
図２４は、本変形例に係る立体表示装置における表示動作のタイミング図を表すものであり、（Ａ）は表示部２０の動作を示し、（Ｂ）は液晶バリア６０の開閉部６２Ａの動作を示し、（Ｃ）は液晶バリア６０の開閉部６２Ｂの動作を示す。
【０１１７】
図２５は、本変形例に係る複合画像生成部における、映像信号ＳＡ，ＳＢの生成例を表すものであり、（Ａ）は映像信号Ｓdispを示し、（Ｂ）は映像信号ＳＡを示し、（Ｃ）は映像信号ＳＢを示す。
【０１１８】
図２４（Ａ）において、“ＳＡ→ＳＢ”は、表示駆動部５０に映像信号ＳＢが供給され、表示部２０が映像信号ＳＡに基づく表示から映像信号ＳＢに基づく表示に変化している状態を示している。同様に、“ＳＢ→ＳＡ”は、表示駆動部５０に映像信号ＳＡが供給され、表示部２０が映像信号ＳＢに基づく表示から映像信号ＳＡに基づく表示に変化している状態を示している。この“ＳＡ→ＳＢ”および“ＳＢ→ＳＡ”は、表示部２０の液晶分子の応答に対応するものである。
【０１１９】
図２４に示したように、開閉部６２は、表示部２０の区域Ｚ１，Ｚ２において、映像信号ＳＡ，ＳＢに基づく表示が確定している期間において開状態になる。具体的には、区域Ｚ１における開閉部６２Ａは、表示部２０の区域Ｚ１において映像信号ＳＡに基づく表示を行っている期間に開状態になり（図２４（Ｂ））、区域Ｚ２における開閉部６２Ａは、表示部２０の区域Ｚ２において映像信号ＳＡに基づく表示を行っている期間に開状態になる（図２４（Ｂ））。同様に、区域Ｚ１における開閉部６２Ｂは、表示部２０の区域Ｚ１において映像信号ＳＢに基づく表示を行っている期間に開状態になり（図２４（Ｃ））、区域Ｚ２における開閉部６２Ｂは、表示部２０の区域Ｚ２において映像信号ＳＢに基づく表示を行っている期間に開状態になる（図２４（Ｃ））。これにより、観察者は、表示部２０の変化状態（“ＳＢ→ＳＡ”，“ＳＡ→ＳＢ”）を見ることがないので、画質劣化を低減することができる。
【０１２０】
また、例えば、上記実施の形態等では、立体表示装置のバックライト３０、表示部２０、液晶バリア１０は、この順に配置したが、これに限定されるものではなく、これに代えて、例えば、図２６に示したように、バックライト３０、液晶バリア１０、表示部２０の順に配置してもよい。
【０１２１】
図２７は、本変形例に係る表示部２０および液晶バリア１０の動作例を表すものであり、（Ａ）は、映像信号ＳＡが供給された場合を示し、（Ｂ）は映像信号ＳＢが供給された場合を示す。本変形例では、バックライト３０から射出した光は、まず液晶バリア１０（６０）に入射する。そして、その光のうち、開閉部１２Ａ，１２Ｂを透過した光が表示部２０において変調されるとともに、６つの視点映像を出力するようになっている。
【０１２２】
また、例えば、上記実施の形態等では、液晶バリアの開閉部はｙ軸方向に延伸するものとしたが、これに限定されるものではない。例えば、上記第２の実施の形態において、図２８（Ａ）に示したステップバリア形式や、図２８（Ｂ）に示した斜めバリア形式が使用可能である。ステップバリア形式については、例えば、特開２００４−２６４７６２号公報に記載がある。また、斜めバリア形式については、例えば、特開２００５−８６５０６号公報に記載がある。なお、区域Ｚ１，Ｚ２のバリアをつなげることにより上記第１の実施の形態における液晶バリア１０に適応可能である。
【０１２３】
また、例えば、上記実施の形態等では、開閉部１２は２つのグループを構成したが、これに限定されるものではなく、これに代えて、例えば３つ以上のグループを構成するようにしてもよい。これにより、表示の分解能をさらに改善することができる。図２９は、開閉部１２が３つのグループＡ，Ｂ，Ｃを構成する場合の例を表すものである。上記実施の形態等と同様に、開閉部１２ＡはグループＡに属する開閉部１２を示し、開閉部１２ＢはグループＢに属する開閉部１２を示し、開閉部１２ＣはグループＣに属する開閉部１２を示す。開閉部１２Ａ，１２Ｂ，１２Ｃを時分割的に交互に開放して映像を表示することにより、この変形例に係る立体表示装置は、開口部１２Ａのみをもつ場合に比べ、３倍の解像度を実現することが可能となる。言い換えれば、この立体表示装置の解像度は、２次元表示の場合に比べ１／２（＝１／６×３）で済むこととなる。
【０１２４】
また、例えば、上記実施の形態等では、表示部２０は液晶を用いるものとしたが、これに限定されるものではなく、これに代えて、例えばＥＬ（Electro Luminescence）を用いるものであってもよい。
【０１２５】
また、例えば、上記実施の形態では、液晶により構成された液晶バリア１０を用いるようにしたが、これに限定されるものではなく、他のものにより構成されたバリアを用いても良い。
【０１２６】
また、例えば、上記実施の形態等では、図１４などに示したように、液晶バリア１０
は、表示部２０における線順次走査に同期して開閉動作をするようにしたが、これに限定されるものではなく、これに代えて、観察者が見たときに画質の劣化を感じない範囲で開閉タイミングを変更し、その開閉部を開放する時間を長くし、あるいは短くしてもよい。
【０１２７】
また、例えば、上記実施の形態等では、映像信号ＳＡ，ＳＢが６つの視点映像を含むようにしたが、これに限定されるものではなく、５つ以下の視点映像や、７つ以上の視点映像を含むようにしてもよい。この場合、図９に示した液晶バリア１０の開閉部１２Ａ，１２Ｂと、画素Ｐｉｘとの関係も変化する。すなわち、例えば、映像信号ＳＡ，ＳＢが５つの視点映像を含む場合には、開閉部１２Ａは、表示部２０の５つの画素Ｐｉｘに１つの割合で設けることが望ましく、同様に、開閉部１２Ｂは、表示部２０の５つの画素Ｐｉｘに１つの割合で設けることが望ましい。
【符号の説明】
【０１２８】
１，１Ｂ，２…立体表示装置、１０，１０Ａ，１０Ｂ，１０Ｃ，６０…液晶バリア、１１，１２，１２Ａ，１２Ｂ，６２，６２Ａ，６２Ｂ，７１Ａ，７１Ｂ，７２Ａ，７２Ｂ…開閉部、１３，１６…透明基板、１４，１８…偏光板、１５，１７…透明電極、１９…液晶層、２０…表示部、２１Ａ，２１Ｂ…バリア開放領域、２３…開閉部境界、３０，３０Ｂ…バックライト、３１…光源、３２…導光板、４０…制御部、４１…バリア駆動部、４２…バックライト駆動部、４５，６５…複合画像生成部、４６，６６…補間処理部、４７…複合処理部、４８，６８…補間画像生成部、５０…表示駆動部、５１…タイミング制御部、５２…ゲートドライバ、５３…データドライバ、Ａ，Ａ１，Ａ２，Ｂ，Ｂ１，Ｂ２…グループ、ＢＬ１，ＢＬ２…発光部、Ｃ…保持容量素子、ＣＢＬ…バックライト制御信号、ＣＢＲ…バリア制御信号、Ｄ…データ線、Ｅ，Ｅ１〜Ｅ６，Ｆ，Ｆ１〜Ｆ６…フレーム画像、Ｅｉ…補間フレーム画像、ＦＡ，ＦＢ…複合フレーム画像、Ｇ…ゲート線、ＬＣ…液晶素子、Ｐix…画素、Ｐ１〜Ｐ６…画素情報、Ｓ，Ｓ１，ＳＡ，ＳＢ，Ｓdisp，Ｓdisp2，Ｓdisp3…映像信号、Ｔ…周期、Ｔ１…走査周期、Ｚ１，Ｚ２…区域。
【図１】
0005617555.tif 000002
【図２】
0005617555.tif 000003
【図３】
0005617555.tif 000004
【図４】
0005617555.tif 000005
【図５】
0005617555.tif 000006
【図６】
0005617555.tif 000007
【図７】
0005617555.tif 000008
【図８】
0005617555.tif 000009
【図９】
0005617555.tif 000010
【図１０】
0005617555.tif 000011
【図１１】
0005617555.tif 000012
【図１２】
0005617555.tif 000013
【図１３】
0005617555.tif 000014
【図１４】
0005617555.tif 000015
【図１５】
0005617555.tif 000016
【図１６】
0005617555.tif 000017
【図１７】
0005617555.tif 000018
【図１８】
0005617555.tif 000019
【図１９】
0005617555.tif 000020
【図２０】
0005617555.tif 000021
【図２１】
0005617555.tif 000022
【図２２】
0005617555.tif 000023
【図２３】
0005617555.tif 000024
【図２４】
0005617555.tif 000025
【図２５】
0005617555.tif 000026
【図２６】
0005617555.tif 000027
【図２７】
0005617555.tif 000028
【図２８】
0005617555.tif 000029
【図２９】
0005617555.tif 000030